(57)【要約】【課題】有線接続による制限なく売上データ処理装置と顧客用表示装置とを配置することである。【解決手段】売上データ処理装置１０は、顧客用表示装置３０に無線で電力を送信し、商品の金額等の表示データを顧客用表示装置３０に無線送信する。顧客用表示装置３０は、売上データ処理装置１０から無線で電力を受信し、前記表示データを顧客用表示装置３０から無線受信し、当該表示データを用いて顧客用の画面表示を行う。【選択図】図１
2010079700.tif 000002
【特許請求の範囲】
【請求項１】
顧客用表示装置に表示させる表示データを前記顧客用表示装置に無線で送信する表示データ送信手段と、
前記顧客用表示装置に無線で電力を送信する電力送信手段と、
を備えることを特徴とする売上データ処理装置。
【請求項２】
顧客が購入する最初の商品の金額を記憶する際のトリガを入力するトリガ入力手段と、
このトリガ入力手段によりトリガが入力されると、顧客用表示装置に電力を送信するように前記電力送信手段を制御する電力送信制御手段と、
を備えることを特徴とする請求項１に記載の売上データ処理装置。
【請求項３】
金銭を収納するドロアと、
このドロアの開閉の状態を検知する検知手段と、
この検知手段により前記ドロアが開いている状態から閉まっている状態へ移行したと判別された後に、前記電力送信手段による電力の送信を終了するように制御する電力送信制御手段と、
を備えることを特徴とする請求項１に記載の売上データ処理装置。
【請求項４】
売上データ処理装置の電力送信手段により無線で送信された電力を受信する電力受信手段と、
この電力受信手段により受信された電力により、前記売上データ処理装置の表示データ送信手段により無線で送信された表示データを受信して、この受信された表示データを表示するように制御する表示制御手段と、
を備えることを特徴とする顧客用表示装置。
【請求項５】
売上データ処理装置のコンピュータを、
顧客用表示装置に表示させる表示データを前記顧客用表示装置に無線で送信する表示データ送信手段、
前記顧客用表示装置に無線で電力を送信する電力送信手段、
顧客が購入する最初の商品の金額を記憶する際のトリガを入力するトリガ入力手段、
このトリガ入力手段によりトリガが入力されると、顧客用表示装置に電力を送信するように前記電力送信手段を制御する電力送信制御手段、
として機能させるプログラム。
【請求項６】
顧客用表示装置のコンピュータを、
売上データ処理装置の電力送信手段により無線で送信された電力を受信する電力受信手段、
この電力受信手段により受信された電力により、前記売上データ処理装置の表示データ送信手段により無線で送信された表示データを受信して、この受信された表示データを表示するように制御する表示制御手段、
として機能させるプログラム。
【発明の詳細な説明】
【技術分野】
【０００１】
本発明は、売上データ処理装置、顧客用表示装置及びプログラムに関する。
【背景技術】
【０００２】
従来、商品を販売する店舗に設置され、顧客が購入した商品の売上データを登録する売上データ処理装置として、ＥＣＲ（Electronic Cash Resister）やＰＯＳ（Point Of Sales）端末が知られている。
【０００３】
売上データ処理装置には、店員等のオペレータ用の本体表示部以外に、顧客用表示部を備え、各表示部がレジスタ本体部に一体に設けられているものが知られている（例えば、特許文献１参照）。顧客用表示部には、売上商品の取引額、預かり金、釣銭の金額が顧客用に表示される。また、顧客用表示部は、売上データ処理装置の電源から電力供給される。
【０００４】
また、無線で電力を供給する技術が知られている。例えば、共鳴形ワイヤレス電力伝送において、６０ワットの電球を輝かせることに成功したことが開示されている（例えば、非特許文献１参照）。
【特許文献１】特開２００５−３５２６４１号公報
【非特許文献１】Franklin Hadley,”Goobye wires…”,[online],June 7 2007, [２００８年８月１９日検索],インターネット，<URL:http://web.mit.edu/newsoffice/2007/wireless-0607.html>
【発明の開示】
【発明が解決しようとする課題】
【０００５】
しかし、従来の本体部と顧客用表示部とが一体である売上データ処理装置は、本体部に対し、顧客用表示部を自由に配置することができなかった。また、顧客用表示部と本体部とを信号線を介して有線接続する構成も考えられるが、信号線があるため、本体部及び顧客用表示部の配置に制限があった。さらに、信号線の配線作業が必要であり、売上データ処理装置の設置における作業者の作業負担も大きかった。
【０００６】
また、非特許文献１のような電力を供給可能な無線電力伝送等の無線電力伝送が考えられているが、売上データ処理装置への応用がなされていなかった。
【０００７】
本発明の課題は、有線接続による制限なく売上データ処理装置と顧客用表示装置とを配置することである。
【課題を解決するための手段】
【０００８】
上記課題を解決するために、請求項１に記載の発明の売上データ処理装置は、顧客用表示装置に表示させる表示データを前記顧客用表示装置に無線で送信する表示データ送信手段と、前記顧客用表示装置に無線で電力を送信する電力送信手段と、を備えることを特徴とする。
【０００９】
請求項２に記載の発明は、請求項１に記載の売上データ処理装置において、顧客が購入する最初の商品の金額を記憶する際のトリガを入力するトリガ入力手段と、このトリガ入力手段によりトリガが入力されると、顧客用表示装置に電力を送信するように前記電力送信手段を制御する電力送信制御手段と、を備えることを特徴とする。
【００１０】
請求項３に記載の発明は、請求項１に記載の売上データ処理装置において、金銭を収納するドロアと、このドロアの開閉の状態を検知する検知手段と、この検知手段により前記ドロアが開いている状態から閉まっている状態へ移行したと判別された後に、前記電力送信手段による電力の送信を終了するように制御する電力送信制御手段と、を備えることを特徴とする。
【００１１】
請求項４に記載の発明の顧客用表示装置は、売上データ処理装置の電力送信手段により無線で送信された電力を受信する電力受信手段と、この電力受信手段により受信された電力により、前記売上データ処理装置の表示データ送信手段により無線で送信された表示データを受信して、この受信された表示データを表示するように制御する表示制御手段と、を備えることを特徴とする。
【００１２】
請求項５に記載の発明のプログラムは、売上データ処理装置のコンピュータを、顧客用表示装置に表示させる表示データを前記顧客用表示装置に無線で送信する表示データ送信手段、前記顧客用表示装置に無線で電力を送信する電力送信手段、顧客が購入する最初の商品の金額を記憶する際のトリガを入力するトリガ入力手段、このトリガ入力手段によりトリガが入力されると、顧客用表示装置に電力を送信するように前記電力送信手段を制御する電力送信制御手段、として機能させる。
【００１３】
請求項６に記載の発明のプログラムは、顧客用表示装置のコンピュータを、売上データ処理装置の電力送信手段により無線で送信された電力を受信する電力受信手段、この電力受信手段により受信された電力により、前記売上データ処理装置の表示データ送信手段により無線で送信された表示データを受信して、この受信された表示データを表示するように制御する表示制御手段、として機能させる。
【発明の効果】
【００１４】
本発明によれば、有線接続による制限なく売上データ処理装置と顧客用表示装置とを配置できる。
【発明を実施するための最良の形態】
【００１５】
以下、添付図面を参照して本発明に係る好適な実施の形態を詳細に説明する。なお、本発明は、図示例に限定されるものではない。
【００１６】
先ず、図１〜図３を参照して、本実施の形態の装置構成を説明する。図１に、本実施の形態のレジスタシステム１の構成を示す。
【００１７】
本実施の形態のレジスタシステム１は、商品を販売する店舗内に設置され、顧客が購入した商品の金額等の売上データの登録を行うとともに、その金額等を顧客用に表示し、また顧客に受け渡す現金（金銭）を収納するシステムである。図１に示すように、レジスタシステム１は、売上データ処理装置１０と、顧客用表示装置３０と、を備える。売上データ処理装置１０と、顧客用表示装置３０とは、有線接続されておらず、物理的に分離されている。また、レジスタシステム１は、現金のみを扱うシステムとして説明するが、現金に加え、クレジットカード、電子マネー、各種ポイント、商品券等も扱う構成としてもよい。レジスタシステム１は、例えば、店舗内のレジカウンタに設置される。
【００１８】
売上データ処理装置１０は、店員等のオペレータの操作入力に応じて、商品の金額等の売上データの登録を行うとともに、顧客用表示装置３０に無線で電力Ｗを供給し、無線電波Ｎを介して顧客用表示装置３０と無線通信を行う。
【００１９】
顧客用表示装置３０は、商品の登録の際に、顧客に商品の取引額、預かり金、釣銭の金額を表示する表示装置である。顧客用表示装置３０は、売上データ処理装置１０から無線供給された電力Ｗにより駆動するとともに、無線電波Ｎを介して売上データ処理装置１０から送信される表示データを受信して表示を行う。
【００２０】
図２を参照して、売上データ処理装置１０の内部構成を説明する。図２に、売上データ処理装置１０の内部構成を示す。
【００２１】
図２に示すように、売上データ処理装置１０は、電力送信制御手段としてのＣＰＵ（Central Processing Unit）１１と、トリガ入力手段としての操作部１２と、ＲＡＭ（Random Access Memory）１３と、表示部１４と、記憶部１５と、印刷部１６と、電力送信手段としての電力送信部１７と、表示データ送信手段としての情報通信部１８と、ドロア１９と、検知手段としてのドロアセンサ２０と、を備え、各部がバス２１を介して接続されている。
【００２２】
ＣＰＵ１１は、売上データ処理装置１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００２３】
ＣＰＵ１１は、記憶部１５に記憶されたレジスタプログラムに従い、商品の金額等の売上データの登録処理を行い、顧客の最初の商品の金額の登録時に、電力送信部１７により顧客用表示装置３０に電力供給開始し、顧客用表示装置３０に表示させるための表示データを顧客用表示装置３０に送信する。
【００２４】
また、ＣＰＵ１１は、登録処理終了時に、ドロアセンサ２０によりドロア１９が開→閉に移行した場合に、電力送信部１７による顧客用表示装置３０への電力供給を終了すする。
【００２５】
操作部１２は、文字、数字入力キー、各種機能キー及び電源キー等を備えたレジ用のキー入力部を含む構成とし、店員等のオペレータによる各キーの操作入力を受け付け、その操作情報をＣＰＵ１１に出力する。操作部１２のキー入力部は、金額キー１２１、部門キー１２２、現金預キー１２３、第一登録キー１２４等を含む。
【００２６】
金額キー１２１は、金額を入力するトリガを入力するためのキーである。つまり、金額キー１２１の押下に続けて商品、預かり金の金額が入力される。部門キー１２２は、商品の部門を入力するキーである。部門とは、商品を分類するための情報であり、例えば、生もの、飲料等の商品分類とする。これらの部門がオーナー、店長等により予め設定されているものとする。部門キー１２２は、部門に対応付けて設定された少なくとも一つの部門キーからなり、入力する各部門に対応する部門キーの押下により、各部門が入力される。商品の金額の入力に続けて、その商品に対応する部門キー１２２が押下入力される。
【００２７】
現金預キー１２３は、顧客から現金を預かった場合に商品の登録の完了を入力するためのキーである。現金預キー１２３の押下に応じて、商品の登録が完了するとともに、ドロア１９が開けられる。
【００２８】
第一登録キー１２４は、顧客の商品の登録の際に、最初の商品の金額登録のトリガを入力するためのキーである。つまり、第一登録キー１２４は、新たな顧客の最初の金額キー１２１の押下前に押下入力される。なお、操作部１２は、商品に付されたバーコードを読み取るバーコードスキャナ等を備えることとしてもよい。
【００２９】
ＲＡＭ１３は、揮発性のメモリである。また、ＲＡＭ１３は、実行される各種プログラムやこれら各種プログラムに係るデータ等を格納するワークエリアを有する。
【００３０】
表示部１４は、ＬＣＤ（Liquid Crystal Display）等で構成され、ＣＰＵ１１から入力される表示信号に従って画面表示を行う。また、操作部１２は、表示部１４と一体的にタッチパネルを構成することとしてもよい。
【００３１】
記憶部１５は、フラッシュメモリ等の情報の読み出し及び書き込みが可能な記憶部で構成される。記憶部１５には、接続先管理テーブル１５０と、部門別合計器４１と、現金取引合計器４２と、取引額４３と、在高４４と、が記憶されている。
【００３２】
接続先管理テーブル１５０は、無線接続される顧客用表示装置３０を管理するためのテーブルである。接続先管理テーブル１５０は、詳細に後述される。部門別合計器４１は、売上データ処理装置１０における部門別の全売上商品の合計金額のデータである。現金取引合計器４２は、現金による全売上商品の合計金額のデータである。本実施の形態では、売上データ処理装置１０が現金のみを扱うので、現金取引合計器４２が、売上データ処理装置１０の全売上商品の合計金額のデータとなる。
【００３３】
取引額４３は、商品の取引単位（顧客単位）の全売上商品の合計金額のデータである。在高４４は、ドロア１９に収納されている現金の合計金額のデータである。また、記憶部１５には、レジスタプログラムが記憶されている。
【００３４】
印刷部１６は、サーマルプリンタ等のプリンタであり、レシート用、ジャーナル用のロール紙を有し、ＣＰＵ１１から入力される制御信号に従って、各ロール紙に対して金額等のデータを印刷して、レシート、ジャーナルとして出力する。
【００３５】
電力送信部１７は、コイル１７ａを有し、ＣＰＵ１１から入力される制御信号に従って、電磁誘導方式で顧客用表示装置３０に電力を送信する回路部である。電力送信部１７は、コイル１７ａから磁束を出力し、その磁束を顧客用表示装置３０の電力受信部３５のコイル３５ａに伝達することにより、顧客用表示装置３０に無線で電力供給を行う。
【００３６】
情報通信部１８は、アンテナ１８ａを有し、ＣＰＵ１１から入力される制御信号に従って、アンテナ１８ａを介した無線電波の送受信により、顧客用表示装置３０と無線で情報の通信を行う回路部である。情報通信部１８は、入力される送信対象のデータ信号を変調してアンテナ１８ａにより顧客用表示装置３０の情報通信部３６のアンテナ３６ａに無線電波として送信し、またアンテナ１８ａにより顧客用表示装置３０の情報通信部３６のアンテナ３６ａから送信された無線電波を受信し、その受信信号を復調してデータ信号を取得する。
【００３７】
ドロア１９は、現金を収納する引き出しであり、ドロアオープン回路（図示略）を有し、このドロアオープン回路により開けられ、オペレータにより手動で閉められる。ドロア１９は、バネを有し、ドロア１９が開けられる方向に、バネが引っ張られるように構成されている。ドロア１９が閉められた状態では、ドロアオープン回路のプランジャにバネが引っ掛けられてロックされている。ドロアオープン回路は、ＣＰＵ１１から入力される制御信号に応じて、ドロア１９を開ける回路部である。ドロアオープン回路は、例えば、ソレノイドコイル及びプランジャを備え、ソレノイドコイルに通電することにより、閉まっている状態のドロア１９のバネをロックしているプランジャを引いてドロア１９を開ける。
【００３８】
ドロアセンサ２０は、ドロア１９が開いている状態か閉まっている状態であるかを検知し、その検知信号をＣＰＵ１１に出力する。
【００３９】
次いで、図３を参照して、顧客用表示装置３０の内部構成を説明する。図３に、顧客用表示装置３０の内部構成を示す。
【００４０】
図３に示すように、顧客用表示装置３０は、表示制御手段としてのＣＰＵ３１と、表示部３２と、ＲＡＭ３３と、記憶部３４と、電力受信手段としての電力受信部３５と、情報通信部３６と、を備える。ＣＰＵ３１、表示部３２、ＲＡＭ３３、記憶部３４及び情報通信部３６は、バス３７に接続されている。
【００４１】
ＣＰＵ３１は、顧客用表示装置３０の各部を中央制御する。ＣＰＵ３１は、記憶部３４に記憶されているプログラムの中から指定されたプログラムをＲＡＭ３３に展開し、ＲＡＭ３３に展開されたプログラムとの協働で、各種処理を実行する。
【００４２】
ＣＰＵ３１は、記憶部３４に記憶された顧客用表示プログラムに従い、電力受信部３５により売上データ処理装置１０から電力を受信し、情報通信部３６を介して売上データ処理装置１０から表示データを受信すると、その表示データを用いて、表示部３２に画面表示する。
【００４３】
ＲＡＭ３３は、揮発性のメモリである。また、ＲＡＭ３３は、実行される各種プログラムやこれら各種プログラムに係るデータ等を格納するワークエリアを有する。  
【００４４】
表示部３２は、ＬＣＤ等で構成され、ＣＰＵ３１から入力される表示信号に従って画面表示を行う。また、表示部３２が、タッチパネルを有する構成としてもよい。
【００４５】
記憶部３４は、情報の読み出しが可能なＲＯＭ（Read Only Memory）等の記憶部で構成される。記憶部３４には、顧客用表示装置ＩＤ５１が記憶されている。
【００４６】
顧客用表示装置ＩＤ５１は、自己の顧客用表示装置３０を識別する識別情報である。また、記憶部３４には、顧客用表示プログラムが記憶されている。
【００４７】
電力受信部３５は、コイル３５ａを有し、電磁誘導方式で売上データ処理装置１０から無線で電力を受信し、その電力を顧客用表示装置３０の各部に供給する回路部である。電力受信部３５は、売上データ処理装置１０のコイル１７ａから出力された磁束がコイル３５ａに入力され、コイル３５ａに流れる電流を電力として得る。顧客用表示装置３０は、電力受信部３５のみを電源とし、売上データ処理装置１０から電力受信部３５に電力供給された場合にのみ、動作が可能である。
【００４８】
情報通信部３６は、アンテナ３６ａを有し、ＣＰＵ３１から入力される指示情報に従って、アンテナ３６ａを介した無線電波の送受信により、売上データ処理装置１０と無線で情報の通信を行う回路部である。情報通信部３６は、送信対象のデータ信号を変調してアンテナ３６ａにより売上データ処理装置１０の情報通信部１８のアンテナ１８ａに無線電波として送信し、またアンテナ３６ａにより売上データ処理装置１０の情報通信部１８のアンテナ１８ａから送信された無線電波を受信し、その受信信号を復調してデータ信号を取得する。
【００４９】
次に、図４を参照して、売上データ処理装置１０の記憶部１５に記憶された接続先管理テーブル１５０を説明する。図４に、接続先管理テーブル１５０の構成を示す。
【００５０】
図４に示すように、接続先管理テーブル１５０は、売上データ処理装置ＩＤ１５１と、顧客用表示装置ＩＤ１５２と、を有する。売上データ処理装置ＩＤ１５１は、自己の売上データ処理装置１０を識別する識別情報である。顧客用表示装置ＩＤ１５２は、売上データ処理装置１０に無線接続が許可された顧客用表示装置３０を識別する識別情報である。
【００５１】
次に、図５〜図９を参照して、レジスタシステム１の動作を説明する。先ず、図５〜図８を参照して、売上データ処理装置１０の動作を説明する。図５に、売上データ処理装置１０で実行されるレジスタ処理の流れを示す。図６に、レジスタ処理中の金額キー押下処理の流れを示す。図７に、レジスタ処理中の部門キー押下処理の流れを示す。図８に、レジスタ処理中の現金預キー押下処理の流れを示す。
【００５２】
売上データ処理装置１０で実行されるレジスタ処理は、通常の商品の登録処理とともに、顧客用表示装置３０に電力供給及び無線通信を行う処理である。
【００５３】
売上データ処理装置１０において、例えば、オペレータから操作部１２を介してレジスタ処理の実行指示が入力されたことをトリガとして、記憶部１５から読み出されて適宜ＲＡＭ１３に展開されたレジスタプログラムと、ＣＰＵ１１との協働で、レジスタ処理が実行される。
【００５４】
図５に示すように、先ず、オペレータから操作部１２の第一登録キー１２４が押下されたか否かが判別される（ステップＳ１）。第一登録キー１２４が押下された場合（ステップＳ１；ＹＥＳ）、電力送信部１７を介して顧客用表示装置３０に電力が供給開始される（ステップＳ２）。そして、情報通信部１８を介して顧客用表示装置３０に顧客用表示装置ＩＤを要求するためのＩＤ送信要求が送信される（ステップＳ３）。
【００５５】
そして、情報通信部１８を介して顧客用表示装置３０から送信された顧客用表示装置ＩＤを受信したか否かが判別される（ステップＳ４）。顧客用表示装置ＩＤを受信していない場合（ステップＳ４；ＮＯ）、ステップＳ４に移行される。顧客用表示装置ＩＤを受信した場合（ステップＳ４；ＹＥＳ）、記憶部１５に記憶された接続先管理テーブル１５０が参照され、受信した顧客用表示装置ＩＤが顧客用表示装置ＩＤ１５２にあるか否かが判別される（ステップＳ４ａ）。
【００５６】
受信した顧客用表示装置ＩＤが顧客用表示装置ＩＤ１５２にない場合（ステップＳ４ａ；ＮＯ）、無線接続中の顧客用表示装置３０が許可されたものでなく、無線接続中の顧客用表示装置３０が許可された顧客用表示装置でない旨の警告が表示部１４に表示され（ステップＳ５）、レジスタ処理が終了する。
【００５７】
受信した顧客用表示装置ＩＤが顧客用表示装置ＩＤ１５２にある場合（ステップＳ４ａ；ＹＥＳ）、無線接続中の顧客用表示装置３０が許可されたものであり、変数flagに１が代入され、電力送信部１７を介した顧客用表示装置３０への電力供給が終了される（ステップＳ６）。変数flagは、顧客用の画面表示のために顧客用表示装置３０に電力供給開始を行うか否かを示すフラグである。変数flagが１であると、顧客用表示装置３０に電力供給開始を行うことを示し、変数flagが０であると、顧客用表示装置３０に電力供給開始を行わないことを示す。
【００５８】
そして、オペレータから操作部１２の金額キー１２１が押下されたか否かが判別される（ステップＳ７）。金額キー１２１が押下された場合（ステップＳ７；ＹＥＳ）、商品又は預かり金の金額の登録を行う金額キー押下処理が実行され（ステップＳ８）、ステップＳ１に移行される。金額キー押下処理は、詳細に後述される。第一登録キー１２４が押下されていない場合（ステップＳ１；ＮＯ）、ステップＳ７に移行される。
【００５９】
金額キー１２１が押下されていない場合（ステップＳ７；ＮＯ）、オペレータから操作部１２の部門キー１２２が押下されたか否かが判別される（ステップＳ９）。部門キー１２２が押下された場合（ステップＳ９；ＹＥＳ）、部門に関する情報の登録を行う部門キー押下処理が実行され（ステップＳ１０）、ステップＳ１に移行される。部門キー押下処理は、詳細に後述される。
【００６０】
部門キー１２２が押下されていない場合（ステップＳ９；ＮＯ）、オペレータから操作部１２の現金預キー１２３が押下されたか否かが判別される（ステップＳ１１）。現金預キー１２３が押下された場合（ステップＳ１１；ＹＥＳ）、商品の登録を完了する現金預キー押下処理が実行され（ステップＳ１２）、ステップＳ１に移行される。現金預キー押下処理は、詳細に後述される。
【００６１】
現金預キー１２３が押下されていない場合（ステップＳ１１；ＮＯ）、オペレータから操作部１２を介してレジスタ処理の終了指示が入力されて、レジスタ処理を終了するか否かが判別される（ステップＳ１３）。レジスタ処理を終了する場合（ステップＳ１３；ＹＥＳ）、レジスタ処理が終了する。レジスタ処理を終了しない場合（ステップＳ１３；ＮＯ）、その他の処理が実行され（ステップＳ１４）、ステップＳ１に移行される。その他の処理とは、オペレータから操作部１２を介したボタン入力に応じた、掛売り（付け払い）、値引きの登録等の処理である。また、ステップＳ１４では、行う処理がないときは、処理を行うことなくステップＳ１に移行される。
【００６２】
図６を参照して、ステップＳ８の金額キー押下処理を説明する。先ず、変数flag が１であるか否かが判別される（ステップＳ８１）。変数flagが０である場合（ステップＳ８１；ＮＯ）、オペレータから操作部１２への商品の数値入力が受け付けられる（ステップＳ８２）。ステップＳ８２で入力される金額は、その金額入力の後、部門キー１２２が押下されると、対応する部門の商品の金額入力となり、その金額入力の後、現金預キー１２３が押下されると、顧客からの預かり金の金額入力となる。
【００６３】
そして、ステップＳ８２で受け付けられた数値がＲＡＭ１３に記憶される（ステップＳ８３）。そして、ステップＳ８３でＲＡＭ１３に記憶された数値が表示部１４に表示され、その数値を顧客用表示装置３０に表示するための表示データが生成され、その表示データが情報通信部１８を介して顧客用表示装置３０に送信され（ステップＳ８４）、金額キー押下処理が終了する。
【００６４】
変数flagが１である場合（ステップＳ８１；ＹＥＳ）、現在の顧客の最初の商品の金額の登録（第一登録）であり、電力送信部１７を介して顧客用表示装置３０に電力が供給開始される（ステップＳ８５）。そして、変数flagに０が代入され（ステップＳ８６）、ステップＳ８２に移行される。
【００６５】
図７を参照して、ステップＳ１０の部門キー押下処理を説明する。先ず、ＲＡＭ１３に記憶されている商品の金額の数値が、記憶部１５の押下された部門キー１２２の種類に対応する部門別合計器４１に累計されて記憶される（ステップＳ１０１）。そして、ＲＡＭ１３に記憶されている商品の金額の数値が、記憶部１５の取引額４３に累計されて記憶される（ステップＳ１０２）。
【００６６】
そして、ＲＡＭ１３に記憶されている商品の金額と、押下された部門キー１２２の種類に対応する部門コードと、取引額４３に記憶されている取引額とが、表示部１４に表示され、その金額、部門コード及び取引額を顧客用表示装置３０に表示するための表示データが生成され、その表示データが情報通信部１８を介して顧客用表示装置３０に送信される（ステップＳ１０３）。そして、ＲＡＭ１３に記憶されている商品の金額と、押下された部門キー１２２の種類に対応する部門コードとが、印刷部１６によりレシート及びジャーナルに印刷され（ステップＳ１０４）、部門キー押下処理が終了する。
【００６７】
図８を参照して、ステップＳ１２の現金預キー押下処理を説明する。先ず、ＲＡＭ１３に預かり金としての金額の数値が記憶されているか否かが判別される（ステップＳ１２１）。預かり金の金額の数値が記憶されている場合（ステップＳ１２１；ＹＥＳ）、ＲＡＭ１３から預かり金としての金額の数値が読み出され、記憶部１５から取引額として取引額４３の金額の数値が読み出され、取得した預かり金−取得した取引額が算出され、その算出値が釣銭としてＲＡＭ１３に記憶される（ステップＳ１２２）。そして、ＲＡＭ１３に記憶されている預かり金、釣銭が表示部１４に表示され、その預かり金、釣銭を顧客用表示装置３０に表示するための表示データが生成され、その表示データが情報通信部１８を介して顧客用表示装置３０に送信される（ステップＳ１２３）。
【００６８】
そして、記憶部１５に記憶されている取引額４３の数値が、記憶部１５の現金取引合計器４２に累計されて記憶される（ステップＳ１２４）。預かり金の金額の数値が記憶されていない場合（ステップＳ１２１；ＮＯ）、ステップＳ１２４に移行される。そして、取引額４３に記憶されている取引額が、表示部１４に表示され、その取引額を顧客用表示装置３０に表示するための表示データが生成され、その表示データが情報通信部１８を介して顧客用表示装置３０に送信される（ステップＳ１２５）。そして、ドロアオープン回路（図示略）によりドロア１９が開けられる（ステップＳ１２６）。このとき、オペレータにより、顧客より渡された預かり金がドロア１９に収納され、お釣りがあれば、そのお釣りがドロア１９から取り出されて顧客に手渡される。
【００６９】
そして、記憶部１５に記憶されている取引額４３の数値が、記憶部１５に記憶されている在高４４の数値に加算される（ステップＳ１２７）。そして、記憶部１５に記憶されている取引額４３の数値が、印刷部１６によりレシート及びジャーナルに印刷される（ステップＳ１２８）。ステップＳ１２８では、取引額と預かり金が異なる場合には、ＲＡＭ１３に記憶されている預かり金及び釣銭もレシート及びジャーナルに印刷される。
【００７０】
そして、ＲＡＭ１３に記憶されている取引額、在高、預かり金、釣銭の情報がクリアされる（ステップＳ１２９）。そして、ドロアセンサ２０によりドロア１９が開いているか閉められているかが検知され、その検知信号が取得され、その検知信号に基づいて、ドロア１９が開いている状態から閉まっている状態に移行したか否かが判別される（ステップＳ１３０）。ステップＳ１３０において、顧客用表示装置３０が、計時部を備え、計時部から出力される時刻情報に基づいて、ドロア１９が開いている状態から閉まっている状態に移行してから所定時間が経過したか否かが判別される構成としてもよい。
【００７１】
ドロア１９が開いている状態から閉まっている状態に移行していない場合（ステップＳ１３０；ＮＯ）、ステップＳ１３０に移行される。ドロア１９が開いている状態から閉まっている状態に移行した場合（ステップＳ１３０；ＹＥＳ）、電力送信部１７を介した顧客用表示装置３０への電力供給が終了され（ステップＳ１３１）、現金預キー押下処理が終了する。
【００７２】
次いで、図９を参照して、顧客用表示装置３０の動作を説明する。図９に、顧客用表示装置３０で実行される顧客用表示処理の流れを示す。
【００７３】
顧客用表示処理は、売上データ処理装置１０の要求に応じて、表示を行ったり、情報（顧客用表示装置ＩＤ）を売上データ処理装置１０に送信する処理である。顧客用表示装置３０において、レジスタ処理のステップＳ２，Ｓ８５に対応して、電力受信部３５により売上データ処理装置１０から供給される電力を受信したことをトリガとして、記憶部３４から読み出されてＲＡＭ３３に展開された顧客用表示プログラムと、ＣＰＵ３１との協働により、顧客用表示処理が実行される。なお、レジスタ処理のステップＳ６，Ｓ１３１に対応して、電力受信部３５による売上データ処理装置１０からの電力受信が終了すると、顧客用表示処理も終了する。
【００７４】
図９に示すように、先ず、レジスタ処理のステップＳ８４、Ｓ１０３，Ｓ１２３，Ｓ１２５に対応して、情報通信部３６を介して売上データ処理装置１０から表示データを受信したか否かが判別される（ステップＳ２０１）。表示データを受信した場合（ステップＳ２０１；ＹＥＳ）、受信された表示データを用いて、表示部３２に画面表示がなされ（ステップＳ２０２）、ステップＳ２０１に移行される。
【００７５】
表示データを受信していない場合（ステップＳ２０１；ＮＯ）、レジスタ処理のステップＳ３に対応して、情報通信部３６を介して売上データ処理装置１０からＩＤ送信要求を受信したか否かが判別される（ステップＳ２０３）。ＩＤ送信要求を受信した場合（ステップＳ２０３；ＹＥＳ）、記憶部３４の顧客用表示装置ＩＤ５１から顧客用表示装置ＩＤが読み出され、情報通信部３６を介して、読み出した顧客用表示装置ＩＤが売上データ処理装置１０に送信され（ステップＳ２０４）、ステップＳ２０１に移行される。ＩＤ送信要求を受信していない場合（ステップＳ２０３；ＮＯ）、ステップＳ２０１に移行される。
【００７６】
以上、本実施の形態によれば、売上データ処理装置１０と顧客用表示装置３０とが無線接続される。そして、売上データ処理装置１０が、顧客用表示装置３０に無線で電力を送信し、表示データを顧客用表示装置３０へ無線送信する。そして、顧客用表示装置３０が、表示データを売上データ処理装置１０から無線受信すると、表示データを用いて、表示部３２に画面表示する。このため、有線接続による制限なく、売上データ処理装置１０と顧客用表示装置３０とを、無線接続できる範囲で自在に配置できる。また、売上データ処理装置１０から顧客用表示装置３０へ電力を供給して、顧客用表示装置３０に自在に画面表示させることができる。
【００７７】
また、売上データ処理装置１０が、オペレータからの金額キー１２１の押下入力が受け付けられると、顧客の最初の商品の金額登録（flag＝１）であるか否かを判別し、顧客の最初の商品の金額登録である場合に、顧客用表示装置３０に無線電力供給を行い、表示データを顧客用表示装置３０へ無線送信する。このため、適切なタイミングで、顧客用表示装置３０に画面表示を開始させることができる。
【００７８】
また、売上データ処理装置１０が、ドロアセンサ２０の検知信号に基づいて、ドロア１９が開いている状態から閉まっている状態に移行したか否かを判別し、ドロア１９が開いている状態から閉まっている状態に移行した後に、顧客用表示装置３０への無線電力供給を終了する。このため、適切なタイミングで、顧客用表示装置３０に画面表示を終了させることができる。
【００７９】
なお、上記実施の形態における記述は、本発明に係る売上データ処理装置、顧客用表示装置及びプログラムの一例であり、これに限定されるものではない。
【００８０】
例えば、上記実施の形態では、売上データ処理装置１０、顧客用表示装置３０が、それぞれ、電磁誘導型の電力送信部１７、電力受信部３５を備え、電磁誘導方式の無線電力供給がなされる構成であったが、これに限定されるものではない。例えば、売上データ処理装置１０、顧客用表示装置３０が、それぞれ、電波受信型又は共鳴型の電力送信手段、電力受信手段を備え、電磁誘導方式の無線電力供給がなされる構成としてもよい。電波受信方式の電力供給では、電力送信手段が送信アンテナから電波を送信し、その電波を電波受信型の電力受信手段が受信アンテナで受信し、得られるアンテナ電流を電力として利用する。共鳴型の電力供給では、電力送信手段、電力受信手段がそれぞれＬＣ共振器を有し、ＬＣ共振器同士の電場だけ、磁場だけの共鳴を利用して電力が供給される。また、電波受信型又は共鳴型の電力供給では、売上データ処理装置１０と顧客用表示装置３０との間に障害物があるとしても、電力供給が可能である。
【００８１】
また、上記実施の形態におけるレジスタシステム１の各構成要素の細部構成及び細部動作に関しては、本発明の趣旨を逸脱することのない範囲で適宜変更可能であることは勿論である。
【００８２】
以上の説明では、本発明に係るプログラムのコンピュータ読み取り可能な媒体として記憶部１５、記憶部３５を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【図面の簡単な説明】
【００８３】
【図１】本発明に係る実施の形態のレジスタシステムの構成を示すブロック図である。
【図２】売上データ処理装置の内部構成を示すブロック図である。
【図３】顧客用表示装置の内部構成を示すブロック図である。
【図４】接続先管理テーブルの構成を示す図である。
【図５】売上データ処理装置で実行されるレジスタ処理を示すフローチャートである。
【図６】レジスタ処理中の金額キー押下処理を示すフローチャートである。
【図７】レジスタ処理中の部門キー押下処理を示すフローチャートである。
【図８】レジスタ処理中の現金預キー押下処理を示すフローチャートである。
【図９】顧客用表示装置で実行される顧客用表示処理を示すフローチャートである。
【符号の説明】
【００８４】
１  レジスタシステム
１０  売上データ処理装置
１１  ＣＰＵ
１２  操作部
１２１  金額キー
１２２  部門キー
１２３  現金預キー
１２４  第一登録キー
１３  ＲＡＭ
１４  表示部
１５  記憶部
１６  印刷部
１７  電力送信部
１７ａ  コイル
１８  情報通信部
１８ａ  アンテナ
１９  ドロア
２０  ドロアセンサ
２１  バス
３０  顧客用表示装置
３１  ＣＰＵ
３２  表示部
３３  ＲＡＭ
３４  記憶部
３５  電力受信部
３５ａ  コイル
３６  情報通信部
３６ａ  アンテナ
３７  バス
【図１】
2010079700.tif 000003
【図２】
2010079700.tif 000004
【図３】
2010079700.tif 000005
【図４】
2010079700.tif 000006
【図５】
2010079700.tif 000007
【図６】
2010079700.tif 000008
【図７】
2010079700.tif 000009
【図８】
2010079700.tif 000010
【図９】
2010079700.tif 000011